(57)【要約】【課題】建築物のスラブに採用される一方向ボイドスラブに換気機能を具備せしめる技術、および換気機能を有する一方向ボイドスラブを用いた建物のスラブ排気構造並びにスラブ給気構造を提供する。【解決手段】換気機能を有する一方向ボイドスラブ１は、並列するボイド２…が複数形成されている一方向ボイドスラブ１に、前記ボイド２…と直交方向に連通する換気用ボイドチューブ３が配置され、この換気用ボイドチューブ３又は前記ボイド２…に、スラブ１の上面又は下面に開口する換気用短管４が接続されており、更に換気用ボイドチューブ３およびボイド２に換気用気流のルート設定を行う開閉弁５が設置されている。【選択図】図１
2008133688.tif 000002
【特許請求の範囲】
【請求項１】
並列するボイドが複数形成されている一方向ボイドスラブに、前記ボイドと直交方向に連通する換気用ボイドチューブが配置され、この換気用ボイドチューブ又は前記ボイドに、スラブの上面又は下面に開口する換気用短管が接続されており、更に換気用ボイドチューブおよびボイドに換気用気流のルート設定を行う開閉弁が設置されていることを特徴とする、換気機能を有する一方向ボイドスラブ。
【請求項２】
スラブの短辺方向に並列するボイドと連通する換気用ボイドチューブは、短辺方向ボイドの一端部と連通する配置で１本、又は同ボイドの両端部と連通する配置で２本、若しくは同前ボイドの中間部と連通する１本ないし複数本を含む配置で設けられていることを特徴とする、請求項１に記載した換気機能を有する一方向ボイドスラブ。
【請求項３】
スラブの短辺方向に並列するボイドと連通する換気用ボイドチューブは、同短辺方向に並列するボイドの両端部に２本配置され、短辺方向に並列するボイドのうち、一端部が一方の換気用ボイドチューブと交わるまで長く形成され同換気用ボイドチューブと連通されたボイドの他端部は他方の換気用ボイドチューブとは交わらないように手前の位置で止められて非連通とされ、逆に一端部が他方の換気用ボイドチューブと交わるまで長く形成され同換気用ボイドチューブと連通された他のボイドの他端部は前記一方の換気用ボイドチューブとは交わらないように手前の位置で止められて非連通とされており、前記構成の繰り返しにより各短辺方向ボイドはジグザグ状の配置で両端部の換気用ボイドチューブと連通された構成であることを特徴とする、請求項１又は２に記載した換気機能を有する一方向ボイドスラブ。
【請求項４】
スラブの短辺方向に並列するボイドは、同スラブの長辺方向に１本ないし複数本毎にグループ分けされ、各グループ毎に区別して共通する換気用ボイドチューブと連通されていることを特徴とする、請求項１に記載した換気機能を有する一方向ボイドスラブ。
【請求項５】
スラブの長辺方向に配置され、短辺方向に並列するボイドと連通する換気用ボイドチューブは、同スラブの長辺方向に貫通して同スラブの端面に開口する構成とされていることを特徴とする、請求項１〜４のいずれか一に記載した換気機能を有する一方向ボイドスラブ。
【請求項６】
請求項１〜５に記載した換気機能を有する一方向ボイドスラブを用いて構築された建物の前記一方向スラブの換気用ボイドチューブの端部に排気ガラリ又は排気装置が取り付けられ、要所の換気用短管に換気設備が取り付けられており、他の換気用短管には蓋を取り付けて閉鎖され、前記換気設備を通じて室内の排気流が生ずるように各開閉弁を調整して排気ルートが形成されていることを特徴とする、スラブ排気構造。
【請求項７】
請求項１〜５に記載した換気機能を有する一方向ボイドスラブを用いて構築された建物の前記一方向スラブの換気用ボイドチューブの端部に給気装置が取り付けられ又は給気ダクトが接続され、要所の換気用短管に給気設備が取り付けられ、他の換気用短管には蓋を取り付けて閉鎖され、前記給気設備を通じて室内へ給気流が吹き出すように各開閉弁を調整して給気ルートが形成されていることを特徴とする、スラブ給気構造。
【発明の詳細な説明】
【技術分野】
【０００１】
この発明は、建築物のスラブに採用される一方向ボイドスラブに換気機能を具備せしめる技術、および換気機能を有する一方向ボイドスラブを用いた建物のスラブ排気構造並びにスラブ給気構造の技術分野に属する。
【背景技術】
【０００２】
ボイドスラブは、小梁を必要としないスラブ架構であるため、近年のスラブ工法に広く用いられている。また、大型サッシュを取り付けて眺望を良くするために、バルコニーや共用廊下側の大梁をバルコニーや共用廊下側の外側に出す、ボイドスラブの厚さと同等の梁成とした扁平梁を用いるなどの架構に発展しており、快適な居住空間を提供するために様々な工夫がなされている。このような架構でボイドスラブを使用する場合は、スラブの中央付近ではボイドを耐震壁間に渡し、バルコニー側や共用廊下付近では、先のボイドと大梁の間にボイドを渡す方法が一般的である。この方法を二方向ボイドスラブスラブと呼ぶが、この場合はバルコニーや共用廊下に向けてボイドの小口が配置され、ダクトなどの換気設備をボイドスラブのボイドで代用することができるため、本願発明の下記解決課題は発生しない。
これに対して、近年は居住空間の向上だけでなく、施工時の生産性の向上を図るために梁や柱そのものを必要としない壁式構造とは異なる架構が実施されている。耐震壁とボイドスラブのみで構成された構造であるが、このような架構にはボイドスラブのボイドは全て耐震壁間に渡す方法を実施する。前記の方法を一方向ボイドスラブと称する。
一方向ボイドスラブの場合には、バルコニー側や共用廊下に向けたボイドが存在しないため、ダクトなどの換気設備をボイドスラブのボイドで代用することはできない。そのため柱や梁が無いにも拘わらず、換気設備を覆い隠すための梁型や天井を換気設備が収まるように全体的又は部分的に下げるか、若しくは換気設備を露出させる対策が必要であり、せっかく躯体で確保した居住性能を換気設備により台無しにしてしまう問題点があった。
【０００３】
従来、ボイドスラブのボイドを換気設備機能に利用する考えは、既に幾つかの発明として提案され公知である。
例えば下記の特許文献１に開示された発明「設備機能を有するボイドスラブ」は、ボイドスラブの各中空部を空調、換気ダクト、あるいは電気配管、配線スペースとして利用する考えに基づくもので、前記中空部からスラブ下面若しくは上面に向かって貫通孔を形成し、この貫通孔を空気の吹き出し口または吸い込み口その他に利用する構成を提供している。しかし、上述したボイドの形成方向と、換気ダクトの設置方向とが異なる場合の検討なり解決策については、何も開示されていない。
特許文献２に開示された発明「吹き抜け部を有する高層建築物」は、高層建築物の各居住層の床をボイドスラブにて形成し、その中空部をバルコニー側から内廊下側まで貫通させて通風換気性能を確保した構成を提供している。したがって、ボイドスラブの中空部は長辺方向、即ち、建物の間口方向と直交する方向に形成することが前提条件となる構成である。
【０００４】
特許文献３に開示された発明「換気ダクトシステム」は、天井スラブに形成した排気取り入れ口と、そこからバルコニースラブにまで形成した中空ダクトと、同バルコニースラブの下面に前記中空ダクトと連通するように形成した排気口を備えた構成を示している。しかし、天井スラブはバルコニースラブとの境界部位に「室外に面する梁１４」を備えた構造であり、フラットスラブ構造形式とは言えないものである。
特許文献４に開示された発明「ボイドスラブを利用した蓄熱空調方式」は、ボイドスラブの各ボイドを板材により長手方向に仕切って一側端部で連通させ、更に空調機と接続し、空調と蓄熱とに切り換え使用する構成を示している。したがって、ボイドスラブにおけるボイドの方向と、換気ダクトの設置方向とが異なる場合の検討なり解決策については何も開示されていない。
【０００５】
下記の特許文献５に開示された発明「ボイドスラブ利用空調方式」は、ボイドスラブを採用した建物において、ボイドスラブを室内と連通するダクトとして用いる空調方式を提案するもので、ダクトの一部を室内への吹き出し用ダクトとして吹き出し口を設け、他のダクトは下階室内の空気吸い込み用ダクトとして空気吸い込み口を設けた構成を示している。
したがって、ボイドスラブにおけるボイドの形成方向と、換気ダクトの設置方向とが異なる場合の検討や解決策については何も開示されていないし、問題にすらなっていない。
【０００６】
【特許文献１】特開平６−３１３３４２号公報
【特許文献２】特開平６−２９９７１０号公報
【特許文献３】特開平１０−１２２６２５号公報
【特許文献４】特開平１０−２２０８１３号公報
【特許文献５】特開平２−２５１０２７号公報
【発明の開示】
【発明が解決しようとする課題】
【０００７】
以上に縷々説明したように、ボイドスラブを採用した建物、或いはボイドスラブのボイドを利用する換気ダクトシステム等に関する提案は幾つかなされている。しかし、ボイドスラブの構造として、２方向ボイドスラブの採用が不可能な構造形式の建物であって、一方向ボイドスラブを採用する以外にない条件下では、上記したように、バルコニー側や共用廊下に向けたボイドが存在しないため、ダクトなどの換気設備をボイドスラブのボイドで代用することはできない。
【０００８】
そのため一般的には図１１Ａに例示したように、一方向ボイドスラブｂの天井下に換気ダクトｄを配設し、同ダクトの外端は、例えば同図１１Ｂに例示したようにバルコニー側窓面に梁型ｅを設けて支持させるか、或いは図１１Ｃのように室内から窓面に向けて梁型ｅ又は換気ダクトｄを隠す天井板ｆを取り付ける工事が行われている。その結果、バルコニー側窓面から屋外を臨む眺望を妨げる。また、図１１Ａ、Ｃのように天井板ｆを取り付けると有効な天井高さが低くなり、視界を妨げ、開放感を害するという重大な問題点が生まれる。
しかし、従来技術の中に、前記の問題点に着眼したり、その解決策を提案するものは見聞できない。
勿論、換気ダクトを天井下に配置するためには、そのためのダクト設置工事と工事費用が発生して高価になることも避けられない。
【０００９】
したがって、本発明の第一の目的は、２方向ボイドスラブの採用が不可能な壁式構造建物などであって、一方向ボイドスラブを採用する以外ほかない条件下の建物に使用される一方向ボイドスラブのスラブ短辺方向に並列するボイドをダクトなどの換気設備として代用することを可能にし、一方向ボイドスラブの上記問題点を解決できる、換気機能を有する一方向ボイドスラブを提供することである。
本発明の次の目的は、フラットスラブ構造建築物に上記の換気機能を有する一方向ボイドスラブを採用することにより、スラブ下面（又は天井下面）に換気ダクトを設置する必要を無くして、換気ダクトを設置する工事とその工事費用が無用ならしめ、換気ダクトを覆い隠す梁型を形成したり天井板を取り付ける必要もなく、天井面の有効高さを高くフラットに形成でき、ひいてはバルコニー側窓面の眺望、視界が広い全面サッシで設計施工することが可能であり、フラットスラブ構造建築物本来の特長を発揮させるスラブ排気構造又はスラブ給気構造を提供することである。
本発明の更なる目的は、リフォーム（修理や改修）に際して換気ダクトを撤去したり新設する工事やその工事費用が無用で、換気装置類の接続位置を比較的自由に選択でき、また、居住後の換気システムのレイアウト変更や新設を自在にできる、換気機能を有する一方向ボイドスラブ、及びこれを採用した建物のスラブ排気構造又はスラブ給気構造を提供することである。
【課題を解決するための手段】
【００１０】
上述した従来技術の課題を解決するための手段として、請求項１に記載した発明に係る換気機能を有する一方向ボイドスラブは、
並列するボイド２…が複数形成されている一方向ボイドスラブ１に、前記ボイド２…と直交方向に連通する換気用ボイドチューブ３が配置され、この換気用ボイドチューブ３又は前記ボイド２…に、スラブ１の上面又は下面に開口する換気用短管４が接続されており、更に換気用ボイドチューブ３およびボイド２に換気用気流のルート設定を行う開閉弁５が設置されていることを特徴とする。
【００１１】
請求項２に記載した発明は、請求項１に記載した換気機能を有する一方向ボイドスラブ１において、
同スラブの短辺方向に並列するボイド２…と連通する換気用ボイドチューブ３は、短辺方向ボイド２の一端部と連通する配置で１本、又は同ボイド２の両端部と連通する配置で２本、若しくは同前ボイド２の中間部と連通する１本ないし複数本を含む配置で設けられていることを特徴とする。
【００１２】
請求項３に記載した発明は、請求項１又は２に記載した換気機能を有する一方向ボイドスラブにおいて、
同スラブ１の短辺方向に並列するボイド２…と連通する換気用ボイドチューブ３は、同短辺方向に並列するボイド２…の両端部に２本配置され、短辺方向に並列するボイド２…のうち、一端部が一方の換気用ボイドチューブ３と交わるまで長く形成され同換気用ボイドチューブ３と連通されたボイド２の他端部は他方の換気用ボイドチューブ３とは交わらないように手前の位置で止められて非連通とされ、逆に一端部が他方の換気用ボイドチューブ３と交わるまで長く形成され同換気用ボイドチューブ３と連通されたボイド２の他端部は前記一方の換気用ボイドチューブ３とは交わらないように手前の位置で止められて非連通とされており、前記構成の繰り返しにより各短辺方向ボイド２…はジグザグ状の配置で両端部の換気用ボイドチューブ３、３と交互に連通された構成を特徴とする。
【００１３】
請求項４に記載した発明は、請求項１に記載した換気機能を有する一方向ボイドスラブ１において、
同スラブ１の短辺方向に並列するボイド２…は、当該スラブ１の長辺方向に１本ないし複数本毎にグループ分けされ、各グループ毎に区別して共通する換気用ボイドチューブ３と連通されていることを特徴とする。
【００１４】
請求項５に記載した発明は、請求項１〜４のいずれか一に記載した換気機能を有する一方向ボイドスラブ１において、
同スラブ１の長辺方向に配置され、短辺方向に並列するボイド２…と連通する換気用ボイドチューブ３は、同ラブ１の長辺方向に貫通して同スラブの端面に開口する構成とされていることを特徴とする。
【００１５】
請求項６に記載した発明に係るスラブ排気構造は、
請求項１〜５に記載した換気機能を有する一方向ボイドスラブ１を用いた建物の前記一方向ボイドスラブ１の換気用ボイドチューブ３の端部に排気ガラリ６又は排気装置６０が取り付けられ、要所の換気用短管４に換気設備１０又は１１が取り付けられており、他の換気用短管４には蓋８を取り付けて閉鎖され、前記換気設備１０又は１１を通じて室内に排気流が生ずるように各開閉弁５を調整して排気ルートが形成されていることを特徴とする。
【００１６】
請求項７に記載した発明に係るスラブ給気構造は、
請求項１〜５に記載した換気機能を有するボイドスラブ１を用いて構築された建物の前記一方向ボイドスラブ１の換気用ボイドチューブ３の端部に給気装置が取り付けられ又は給気ダクト７０が接続され、要所の換気用短管４に給気設備が取り付けられ、他の換気用短管４には蓋８を取り付けて閉鎖され、前記給気設備を通じて室内に給気流が吹き出すように各開閉弁５を調整して給気ルートが形成されていることを特徴とする。
【発明の効果】
【００１７】
請求項１〜５に係る発明の換気機能を有する一方向ボイドスラブ１は、２方向ボイドスラブの採用が不可能な構造形式で、一方向ボイドスラブを採用するほかない条件下の建物に実施した場合、スラブ短辺方向に並列するボイド２…と連通する換気用ボイドチューブ３を備えているので、同換気用ボイドチューブ３を換気設備の構築に利用することができる。
よって、一方向ボイドスラブのボイド２の形成方向と換気ダクト設置方向とが直交方向に異なる建物の設計、施工上の問題点を完全に解決できる。なによりも換気ダクトを設置する工事と同工事に要する費用が無用であり、至便である。
【００１８】
したがって、請求項６、７に係る発明のように、フラットスラブ構造建物に、上記の換気機能を有する一方向ボイドスラブ１を採用してスラブ排気構造又はスラブ給気構造を実施すると、スラブ下面（又は天井下面）に換気ダクトを設置する必要が無く、換気ダクトを設置する工事とそれに要する費用が無用であることは勿論のこと、従来技術を示す図１１Ｂのように換気ダクトｄを支持し、あるいは隠蔽する梁型ｅを形成したり、換気ダクトｄおよび梁型ｅを覆い隠す天井板ｆを取り付ける必要がなく、天井面をフラットに有効高さを高く形成できる（図８を参照）。ひいてはバルコニー側窓面から屋外を眺望する視界が広い大型全面サッシで設計施工することができ、フラットスラブ構造建築物本来の特長を存分に発揮させることができる。
のみならず、本発明の上記スラブ排気構造又はスラブ給気構造によれば、リフォーム等に際して換気ダクトを撤去したり新設する工事とその工事費用が一切無用であるし、換気ダクト類の接続位置を比較的自由に選択できる。また、当該建物を供用した居住後の換気システムのレイアウト変更に際しても、例えば換気用短管４の位置を選び、それに応じて開閉弁５を操作することで換気用気流のルート変更を自在にできる便利さがある。
【発明を実施するための最良の形態】
【００１９】
並列するボイド２を複数形成した一方向ボイドスラブ１に、前記ボイド２と連通する換気用ボイドチューブ３を配置し、この換気用ボイドチューブ３又は前記ボイド２に、スラブ１の上面又は下面に開口する換気用短管４を接続する。更に換気用ボイドチューブ３およびボイド２に換気用気流のルート設定を行う開閉弁５を設置して換気機能を有する一方向ボイドスラブ１を構成する。
この換気機能を有する一方向ボイドスラブ１は、現場打ちコンクリートスラブ、或いはプレキャストコンクリートスラブとして実施する。
上記の換気機能を有する一方向ボイドスラブ１を用いて構築した建物における前記ボイドスラブ１の換気用ボイドチューブ３の端部に、排気ガラリ６又は排気装置６０を取り付ける。或いは給気装置を取り付けるか又は給気ダクト７０を接続する。そして、要所の換気用短管４に換気設備を取り付け、他の換気用短管４には蓋８を取り付けて閉鎖する。更に、前記換気設備を通じて室内に排気流又は給気流が生ずるように各開閉弁５を調整して排気若しくは給気ルートを形成してスラブ排気構造又はスラブ給気構造を構成する。
【実施例１】
【００２０】
次に、本発明を図示した実施例に基づいて説明する。
先ず図１と図２は、本発明に係る換気機能を有する一方向ボイドスラブ１の標準的構成の実施例を示している。
本実施例の場合、スラブの短辺方向に並列するボイド２…が複数形成されている共に、この一方向ボイドスラブ１の長辺方向には、前記短辺方向のボイド２と交わり連通する換気用ボイドチューブ３が配置されている。更に前記換気用ボイドチューブ３および短辺方向に並列するボイド２の要所要所に、当該スラブの下面（又は上面。以下同じ。）に向かって開口する換気用短管４が接続されている。また、換気用ボイドチューブ３および短辺方向に並列するボイド２の要所要所に、換気用気流のルート設定を行う開閉弁５が複数設置されている。つまり、この一方向ボイドスラブ１には、一例として図３に示すようなパイプシステムが一体としてスラブコンクリート中に埋め込まれた構成である。因みに、図３中の符号２ａは前記短辺方向に並列するボイド２を形成するパイプであり、３ａは換気用ボイドチューブ３を形成するパイプ、４ａは換気用短管４を形成するパイプであり、それぞれには例えば薄肉の鉄管あるいはアルミニューム管などが使用されている。符号８は換気用短管４の開口を閉じる蓋を示す。
なお、図示した実施例の場合、ボイド２、換気用ボイドチューブ３、および換気用短管４はそれぞれ円形のものとして示しているが、この限りではない。角をＲ加工した角管や楕円管、あるいは長円管などを使用して実施することもできる。
【００２１】
更に具体的に、図１の実施例の構成を説明する。
スラブ長辺方向に配置された換気用ボイドチューブ３は、同短辺方向のボイド２…の左右の両端部と交わり連通する構成で２本配置され、スラブ中央位置にも各ボイド２…と交わり連通する構成で１本配置して合計３本設置されている。
スラブ下面に開口する換気用短管４の位置を、図１の場合は、長辺方向の換気用ボイドチューブ３と、短辺方向のボイド２…とが交わる交点位置に白抜き丸印４で示している。もっとも、必要に応じて、換気用ボイドチューブ３およびボイド２…の要所要所の位置に接続した構成、配置で実施することができる。
上記換気用短管４の使用例を図２に示した。換気用ボイドチューブ３のうち戸外に露出する左端位置に接続した換気用短管４の開口部には、一例として排気ガラリ６が取り付けられて排気開放口に構成されている。逆に、図２の右方に位置する換気用短管４の開口部には、キッチンやユニットバス（ＵＢ）の換気扇ダクト７などが接続される。そして、両者の中間に位置して使用されない換気用短管４の開口部には蓋８を取り付けて閉鎖し、もって左右方向へ一連の換気（排気又は給気）ルートが設定されている。
その他の実施例として、図６には、キッチンの天井部に開口する換気用短管４へレンジフード１０を接続した例を示す。また、図７は、風呂用換気扇１１のダクトを接続して排気する実施例を示している。なお、図６或いは図７のように天井下にレンジフード１０や風呂用換気扇１１がぶら下がり状態に設置される場所は、室内の眺望、見栄えを考慮すると、たとえば室と室との間仕切り壁に隣接する造り付け収納部に臨ませ収納部と一体に設けるなど、バルコニー側窓面からはできるだけ離れた位置に設置する設計、施工とすることが望ましい。
また、図２或いは 図８に点線３０で示したように、換気用ボイドチューブ３は、当該スラブを貫通させて同スラブの端面に開口する構成で設置して、換気流（排気）を水平方向に放出する構成で実施することも好ましい。
【００２２】
次に、図１の実施例には、換気用気流のルート設定を行う開閉弁５の設置位置の代表的な例を、丸印の中に×を付記して図示した。図１の実施例では、開閉弁５が、換気用ボイドチューブ３およびボイド２…内を流れる気流を閉止する用途でのみ示しているが、この限りではない。換気用ボイドチューブ３およびボイド２…内を流れる気流を全開状態で流通させる開閉弁５も多く設置されているが、それらをいちいち図示することは省略したにすぎない。要は将来の換気用気流のルート設定ないし変更を予想して必要となるであろう位置（適所）に予め必要数だけ設置しておくという考え方で実施される。
開閉弁５の具体的構成としては、種々な構造・形式の弁を実施可能であるが、その代表例を図５Ａ〜Ｄに示した。
図５Ａの風船型開閉弁５は、伸縮性のある風船ないしサッカーボールの如き球状弁体５１を萎んだ状態で換気用短管４を通じて換気用ボイドチューブ３又はボイド２の気流空洞内へ差し入れ、図示を省略した空気ボンベを使用し、その通気弁口５０から空気を吹き込み膨らませて空洞内壁面へ強く圧接させ、その摩擦力で位置決めして気流空洞を閉鎖する。前記位置決めの摩擦力を増大させる処理も必要に応じて行う。逆に通気弁口５０から空気を抜いて球状弁体５１を萎ませることで、球状弁体５１を換気用短管４を通じて外へ取り出し、気流空洞を全開とする構成である。
図５Ｂに示すネジ式開閉弁５は、換気用ボイドチューブ３又はボイド２の気流空洞内壁に予めネジ山５３が形成されており、前記ネジ山５３ねねじ込み可能な外径と板厚の円盤形状をなし、１８０度回転可能型のヒンジにより二つに中折れ構造とした弁体５２を中折れ状態で換気用短管４を通じて換気用ボイドチューブ３又はボイド２の気流空洞内へ差し入れ、円盤形状に展開した上で取っ手５２ａを利用して回転させつつ、気流空洞内壁の前記ネジ山５３へねじ込んで気流空洞を閉鎖する。この場合、気流の風圧を受ける側をヒンジ止め側にして展開状態の安定性を保たせる。この弁体５２は、必要なくなったときには逆転操作してネジ山５３からぬき外し、二つ折れ状態に畳んだ上で換気用短管４を通じて外へ取り出し、気流空洞を全開とする構成である。
図５Ｃに示す回転型開閉弁５は、換気用ボイドチューブ３又はボイド２の気流空洞内壁へ支持された上下の垂直軸５５を中心に水平回転する弁体５４を換気用ボイドチューブ３又はボイド２の気流空洞の横断面と同形の円盤構成で設置し、同弁体５４を横断方向に位置決めして気流空洞を全閉とする構成である。同弁体５４を９０度回転して気流と平行方向の向きに位置決めすることで気流空洞を全開とすることができる。
図５Ｄに示す起伏型開閉弁５は、換気用ボイドチューブ３又はボイド２の内径にほぼ等しい外径の円盤形状で、気流空洞内壁へヒンジ５７により起伏可能に取り付けた弁体５６を空洞内を横断する姿勢に起立させ位置決めすることにより、換気用ボイドチューブ３又はボイド２の気流空洞を閉鎖する構成である。逆に、ハンドル５９を利用して弁体５６を点線図示のように水平に寝かせストッパ５８で位置決めすることで気流空洞を全開とすることができる。
【００２３】
本発明に係る換気機能を有する一方向ボイドスラブ１は、現場打ちコンクリートスラブとして、或いはプレキャストコンクリートスラブとして、いずれの構成でも実施可能である。いずれの構成で実施する場合でも、この換気機能を有する一方向ボイドスラブ１を製作する手法としては、一例として図３に例示したようなパイプシステムを予め製作し、これをコンクリート中へ打ち込む方法が好適に実施される。図３において、符号２ａはスラブの短辺方に並列するボイド２を形成するパイプ、３ａは換気用ボイドチューブ３を形成するパイプであり、符号４ａは換気用短管チューブ、８は換気用短管４を閉じる蓋を示している。
因みに、上記構成のパイプシステムは、図４に例示したように、スラブ鉄筋１２と共にスラブ用型枠内に配置され、コンクリートを打設し養生して、換気機能を有する一方向ボイドスラブ１が製作される。
【００２４】
次に、図８は、上記構成の換気機能を有する一方向ボイドスラブ１を、フラットスラブ構造建築物のスラブに採用し、上側スラブに排気ルートを形成し、下側の一方向ボイドスラブ１には給気ルートを形成した室内換気システムの実施例を概念的に示している。図中の符号２１はバルコニー側窓面の引き戸を示し、２２は共同廊下側の外壁を示している。
上側の一方向ボイドスラブ１において、排気用に使用する換気用ボイドチューブ３の左端部（外端部）に位置する換気用短管４に排気装置６０が下向きに接続され、同換気用ボイドチューブ３を中心とする排気系統に接続されて天井面に開口する換気用短管４が排気口に使用され排気流ルートが形成されている。
下側の一方向ボイドスラブ１における換気用ボイドチューブ３は給気用に使用されている。同換気用ボイドチューブ３の右端部の換気用短管４に給気ダクト７０が接続され、この換気用ボイドチューブ３を中心とする給気系統に接続されて床面に開口する換気用短管４が給気口として使用され、図８の給気流ルートが形成されている。
なお、図８の一方向ボイドスラブ１における換気用ボイドチューブ３は、点線３０で例示したように、同スラブ１の左端にまで水平に貫通する構成として、排気装置６０を取り付けることなく、排気が水平方向左方へ流出する構成で実施できることも、既に説明した通りである。
【００２５】
更に、本発明の換気機能を有する一方向ボイドスラブ１に関する排気ルート及び給気ルート設定の実施例を、先ずは図１の平面配置図に基づいて説明する。
図１に示した一方向ボイドスラブ１の場合、同スラブの短辺方向に並列するボイド２…の両端位置に縦に配置された２本の換気用ボイドチューブ３、３は各ボイド２…と連通されている。その上、短辺方向に並列するボイド２…の中央部にも１本の換気用ボイドチューブ３が縦に配置された構成である。前記構成の一方向ボイドスラブ１における排気系統の実施例として、符号イ、ロ、ハは、例えば図６に示すレンジフード１０、或いは図７に示した風呂用換気扇１１のような換気（排気）設備機器が換気用短管４へ接続された位置を示している。また、符号ニは、例えば図２に示したガラリ６を取り付けたような排気開放場所（換気用短管４）を指している。かくして前記イ、ロ、ハ、ニは、一種の集合排気ルートの実施例を示している。
同じ図１中の符号ホは、換気設備機器の接続位置を表し、符号ヘは、排気開放場所を示す。同様に図１中の符号トは換気設備機器の接続位置を示し、符号チが排気開放場所を示す。いずれも一方向ボイドスラブ１の短辺方向に並列するボイド２と、これに連通する縦の換気用ボイドチューブ３、及びこれらと接続された換気用短管４の位置とに関する繋がり状態（排気ルート）を有効的に組み合わせて構成されている。
【００２６】
次に、図９Ａ、Ｂもまた、本発明の換気機能を有する一方向ボイドスラブ１について、排気ルート及び給気ルートを設定した実施例を平面配置図として示している。ただし、図９Ａに示した換気機能を有する一方向ボイドスラブ１は、該スラブの短辺方向に並列するボイド２…の両端部に２本の換気用ボイドチューブ３、３が縦に配置され、更にボイド２の中央部にも１本の換気用ボイドチューブ３が縦方向に断続的に配置されている。もっとも、各換気用ボイドチューブ３が短辺方向に並列するボイド２…と連通する態様は、図１とは大きく異なった構成とされている。以下に、その相違点を説明する。
先ず図９Ａに示した換気機能を有する一方向ボイドスラブ１は、同スラブの短辺方向に並列するボイド２…が、同スラブの長辺方向に、下辺側から数えて合計８本のボイド２を包含する「グループＩ」と、中間の１本のボイド２のみの「グループII」、および上辺側の８本のボイド２を包含する「グループIII」との３グループに区分されている。そして、前記「グループＩとIII」の各ボイド２はそれぞれ、両端部に配置した２本の換気用ボイドチューブ３および中央に配置した１本の換気用ボイドチューブ３を含む合計３本の換気用ボイドチューブ３とそれぞれ共通に連通されている。しかし、「グループII」の１本のボイド２は、いずれの換気用ボイドチューブ３とも連通されていない。
【００２７】
図９Ａに示す換気機能を有する一方向ボイドスラブ１は上記の構成であるから、換気ルートの構成としては、先ず「グループIII」に属する符号イ、ロは、臭気を発する便所、或いはキッチン（ＵＢ）の臭気を排除する場所に位置する換気用短管４と接続した換気設備機器を示している。符号ハは、前記臭気の開放場所を示している。つまり、ルートイ、ロ、ハは独立した構成の「グループIII」を基礎として臭気排気ルートを形成している。
他方の「グループＩ」に属する符号ニ、ホは、室内換気を必要とする場所に位置する換気用短管４と接続した換気設備機器を示し、符号へ、トは、それぞれの排気開放場所を示している。
つまり、二種の排気を別系統で行うので、上記スラブの短辺方向に並列するボイド２のグループ分けが有効に働いているのである。
【００２８】
次に、図９Ｂに示した換気機能を有する一方向ボイドスラブ１は、同スラブの短辺方向に並列するボイド２…の両端部に沿って長辺方向へ（縦に）２本の換気用ボイドチューブ３、３が配置されている。しかし、図１の実施例とは異なって、ボイド２の中央部に換気用ボイドチューブは配置されていない。そして、短辺方向に並列するボイド２…の端部は、例えば図９Ｂの各ボイド２を可変側から順に確認してゆくと明らかなように、まず最下位のボイド２は左端が左方の換気用ボイドチューブ３と交わり連通されているが、右端は右方の換気用ボイドチューブの位置にまでは届かず、行き止まり状態である。次に、次上位のボイド２を見ると、右端が右方の換気用ボイドチューブ３と交わり連通されているが、同ボイド２の左端部は左方の換気用ボイドチューブ３の位置には届かず、手前の位置で止められて非連通とされている。更に上方の各ボイド２についても同じ構成の繰り返しであり、短辺方向の各ボイド２…は、左右２本の換気用ボイドチューブ３、３とは交互にジグザグ状配置に連通された構成である。
【００２９】
図９Ｂに示す換気機能を有する一方向ボイドスラブ１は上記の構成であるから、同図９Ｂに示す換気ルートの構成は、先ず符号イ、ロは、臭気を発する便所、あるいはキッチン（ＵＢ）の臭気を排除する場所に位置する換気用短管４と接続した換気設備機器を示す。符号ハは、前記臭気の開放場所を示している。一方、符号ニ、ホ、へ、トは、室内換気を必要とする場所に位置する換気用短管４と接続した換気設備機器を示す。符号チは、その排気開放場所を示している。つまり、短辺方向の各ボイド２…は、左右２本の換気用ボイドチューブ３、３と交互にジグザグ状配置に連通された構成であることを利用して、臭気の開放ルートと室内換気ルートとが効率的に形成されているのである。
【００３０】
以上要するに、図１および図９Ａ、Ｂに示した換気機能を有する一方向ボイドスラブ１は、コンクリート中に内蔵する短辺方向に並列するボイド２と換気用ボイドチューブ３および換気用短管４並びに開閉弁５とより成るパイプシステムの構成態様の差異に応じて、それぞれ個性的な換気ルートの設定を何時でも自在に実施できるのである。
勿論、パイプシステムをコンクリート中に内蔵したボイドスラブであるから、別途に換気ダクトを設置することが無用であるし、換気ルートの設定、変更を建築時点はもとより、建築後に行う改修、リニューアルなどの必要に応じて行い、換気ルート変更や更新なども含めて、換気設備機器の付け替えや開閉弁５によるルート設定を自在に簡単に行うことができる。
【００３１】
以上に本発明を図示した実施例に基いて説明したが、もちろん、本発明の技術的思想は上記実施例の限りではない。本発明の要旨、技術的思想を逸脱しない範囲で、当業者が通常行う設計変更ないし応用変形を含めて、更に多様に実施することができることを念のため申し添える。
【図面の簡単な説明】
【００３２】
【図１】本発明の換気機能を有する一方向ボイドスラブの実施例を示す平面図である。
【図２】図１のII−II線矢視に沿う拡大断面図である。
【図３】本発明の換気機能を有する一方向ボイドスラブを構成するパイプシステムの構成例を示す透視図である。
【図４】本発明の換気機能を有する一方向ボイドスラブの構造を一部破断して示した斜視図である。
【図５】Ａ〜Ｃは開閉弁の異なる構成例を示す概念図である。
【図６】本発明の換気機能を有する一方向ボイドスラブに換気用レンジフードの取り付け例を示す断面図である。
【図７】本発明の換気機能を有する一方向ボイドスラブへ風呂用換気扇の取り付け例を示す断面図である。
【図８】本発明の換気機能を有する一方向ボイドスラブを使用した建物の換気システムの例を簡単に示した概念図である。
【図９】Ａ、Ｂは本発明の換気機能を有する一方向ボイドスラブの換気ルート設定の例を示す平面図である。
【図１０】従来の一方向ボイドスラブの一部の断面図である。
【図１１】Ａは従来の一方向ボイドスラブによる室内換気の例を示した断面図、Ｂ、ＣはＡ図の左側面の異なる構成例を示す側面図である。
【符号の説明】
【００３３】
１        一方向ボイドスラブ
２        短辺方向のボイド
３        換気用ボイドチューブ
４        換気用短管
５        開閉弁
６        ガラリ
６０      排気装置
１０、１１換気設備
８        蓋
７０      給気ダクト
【図１】
2008133688.tif 000003
【図２】
2008133688.tif 000004
【図３】
2008133688.tif 000005
【図４】
2008133688.tif 000006
【図５】
2008133688.tif 000007
【図６】
2008133688.tif 000008
【図７】
2008133688.tif 000009
【図８】
2008133688.tif 000010
【図９】
2008133688.tif 000011
【図１０】
2008133688.tif 000012
【図１１】
2008133688.tif 000013